(57)【要約】【課題】昇降ストロークを容易に変更して、幅広い用途に対応できる移動式小迫りを提供する。【解決手段】床上を移動可能な基台１にガイドレール２を立設し、ガイドレール２に沿って昇降自在に昇降体３を設け、基台１にモータ５及び巻取ドラム７を搭載し、モータ５で駆動される巻取ドラム７から繰り出したワイヤ１０を上方へ向けた後、ガイドレール２の上部に位置するプーリ９に巻き掛けて下方へ向け、昇降体３にワイヤ１０の下端部を連結し、巻取ドラム７の許容巻取範囲内であれば、ガイドレール２を延長又は短縮して、昇降ストロークを変更できるようにする。【選択図】図１
2008093014.tif 000002
【特許請求の範囲】
【請求項１】
床上を移動可能な基台(1)にガイドレール(2)を立設し、ガイドレール(2)に沿って昇降自在に昇降体(3)を設け、基台(1)にモータ(5)及び巻取ドラム(7)を搭載し、モータ(5)で駆動される巻取ドラム(7)から繰り出したワイヤ(10)を上方へ向けた後、ガイドレール(2)の上部に位置するプーリ(9)に巻き掛けて下方へ向け、昇降体(3)にワイヤ(10)の下端部を連結した移動式小迫り。
【請求項２】
前記昇降体(3)をガイドレール(2)にロックするクランプロック機構(3c)を設けたことを特徴とする請求項１に記載の移動式小迫り。
【請求項３】
前記ガイドレール(2)として角管を使用し、ガイドレール(2)を上方へ継ぎ足し可能としたことを特徴とする請求項１又は２に記載の移動式小迫り。
【請求項４】
前記昇降体(3)は、ワイヤ(10)の下端部が連結された昇降フレーム(3a)に各種アタッチメント(11)を着脱可能な構造としたことを特徴とする請求項１乃至３のいずれか１項に記載の移動式小迫り。
【発明の詳細な説明】
【技術分野】
【０００１】
この発明は、劇場の演出において、奈落から舞台面への迫り上げや、舞台面から上方への迫り上げに使用する移動式の小迫りに関するものである。
【背景技術】
【０００２】
従来、演出の必要に応じて、舞台下の奈落の床上に設置し、奈落から舞台面への出演者の迫り上げに使用する移動式の小迫りとして、下記特許文献１や特許文献２に記載されたようなものが知られている。
【０００３】
特許文献１に記載の小迫りは、キャスターを有する基台にガイドポストを立設し、ガイドポストの上下端部に設けたスプロケットにエンドレスのチェーンを巻き掛け、昇降床をチェーンに連結して、チェーンの回転移動に伴い昇降床がガイドポストに沿って昇降するようにしたものである。
【０００４】
また、特許文献２に記載の小迫りは、可搬式の基枠に多段のクロスアームを立設し、その上端部に昇降床を取り付け、基枠上に複数のガイド枠を内外に重ねて上下にスライド自在に設け、ガイド枠の水平ガイドレールにクロスアームの連結部に設けたガイドローラを係合させ、クロスアームの伸縮に伴い昇降床が昇降するようにしたものである。
【０００５】
【特許文献１】特開２００２−３０１２８０号公報
【特許文献２】特開平８−２１１１３号公報
【発明の開示】
【発明が解決しようとする課題】
【０００６】
しかしながら、上記のような小迫りでは、舞台下から舞台面への迫り上げの用途のみを想定しているため、昇降ストロークの変更は容易でなく、舞台面から上方への出演者や大道具の迫り上げ等、多様な用途に適用できないという問題がある。
【０００７】
そこで、この発明は、昇降ストロークを容易に変更して、幅広い用途に対応できる移動式小迫りを提供することを課題とする。
【課題を解決するための手段】
【０００８】
上記課題を解決するため、この発明に係る移動式小迫りは、床上を移動可能な基台にガイドレールを立設し、ガイドレールに沿って昇降自在に昇降体を設け、基台にモータ及び巻取ドラムを搭載し、モータで駆動される巻取ドラムから繰り出したワイヤを上方へ向けた後、ガイドレールの上部に位置するプーリに巻き掛けて下方へ向け、昇降体にワイヤの下端部を連結することにより、巻取ドラムの許容巻取範囲内であれば、ガイドレールを延長又は短縮して、昇降ストロークを変更できるようにしたのである。
【０００９】
また、荷重変動に伴い、ワイヤが伸縮して昇降体の高さに変化が生じる現象を防止するため、前記昇降体をガイドレールにロックするクランプロック機構を設けたのである。
【００１０】
また、前記ガイドレールとして、入手が容易な汎用の角管を使用することにより、ガイドレールを上方へ継ぎ足し可能としたのである。
【００１１】
また、前記昇降体は、ワイヤの下端部が連結された昇降フレームに各種アタッチメントを着脱可能な構造とし、用途に適したアタッチメントを装着できるようにしたのである。
【発明の効果】
【００１２】
この移動式小迫りでは、巻取ドラムから繰り出したワイヤにより昇降体を昇降させるので、巻取ドラムの許容巻取範囲内であれば、ガイドレールを延長又は短縮して、昇降ストロークを容易に変更でき、奈落から舞台面への出演者の迫り上げや、舞台面から上方への大道具の迫り上げ等、様々な用途に対応することができる。
【発明を実施するための最良の形態】
【００１３】
以下、この発明の実施形態を添付図面に基づいて説明する。
【００１４】
図１に示すように、この移動式小迫りは、基台１に２本の角筒状のガイドレール２を平行に立設し、ガイドレール２に沿って昇降自在に昇降体３を設けた構成とされている。前方が開いたコ字状の基台１の四隅には、床上での移動を可能とするため、キャスター４が旋回自在に設けられている。
【００１５】
基台１の後部には、モータ５、減速機６及び巻取ドラム７が搭載され、モータ５の駆動による回転が減速機６を介して巻取ドラム７に伝達される。巻取ドラム７に近接した位置には２個のプーリ８が設けられ、ガイドレール２の上部には、２本のガイドレール２を繋ぐ横桟上に２個のプーリ９が設けられている。ガイドレール２の上部は、ヘッドユニット２ａとして切り離せるようになっている。
【００１６】
巻取ドラム７には、ワイヤ１０が巻き付けられ、巻取ドラム７から繰り出された２本のワイヤ１０は、プーリ８に巻き掛けられて上方へ向けられた後、ガイドレール２の上部でプーリ９に巻き掛けられて下方へ向けられている。そして、各ワイヤ１０の下端部が昇降体３の昇降フレーム３ａに連結されている。
【００１７】
昇降体３の昇降フレーム３ａは、ガイドレール２を抱持して回転するガイドローラ３ｂと、クランプ板の進退に伴い昇降体をガイドレール２にロックするクランプロック機構３ｃとを備えている。昇降フレーム３ａには、アタッチメント１１が着脱自在に取り付けられ、アタッチメント１１に昇降台１２がセットされている。
【００１８】
上記のような移動式小迫りでは、巻取ドラム７から繰り出したワイヤ１０をモータ５の正転駆動により巻取ドラム７に巻き取って昇降体３を上昇させ、モータ５の逆転及び昇降体３の自重により巻取ドラム７からの繰出し量を増大させて昇降体３を下降させるので、巻取ドラム７の許容巻取範囲内であれば、ガイドレール２に適宜の長さのものを選択して用いることにより、昇降ストロークを容易に変更できる。
【００１９】
このため、図２に示すように、奈落Ｂの床上に設置して、奈落Ｂから舞台面Ａへの出演者の迫り上げに使用するだけでなく、舞台面Ａに設置して、舞台面Ａから上方への出演者や大道具の迫り上げ等、舞台上の演出にも使用することができる。
【００２０】
そして、昇降体３の昇降速度の高速化を図ることができ、モータ５の制御にフィードバック制御を用いることにより、低速域から高速域まで全域にわたって、動作の安定性及び位置決め精度を向上させることができる。
【００２１】
また、昇降体３に作用する荷重が変動すると、ワイヤ１０が伸縮して昇降体３の高さに変化が生じるおそれがあるが、昇降体３をガイドレール２にロックするクランプロック機構３ｃを設けたので、そのような現象も防止される。
【００２２】
さらに、必要に応じて、図３に示すように、ガイドレール２に延長レール１３を連結ブロック１４を介して継ぎ足すこともできる。この場合、基本ユニットとなる小迫りのガイドレール２の上部から分離したヘッドユニット２ａを最上部に載せる。
【００２３】
ここで、基本ユニットのガイドレール２やその延長レール１３には、一般構造用の角型鋼管を用いることができるので、舞台の公演スケジュールに余裕がなくても、材料を容易に入手でき、過大なコストがかかることもない。
【００２４】
また、図４に示すように、複数台の移動式小迫りを対向させ、その昇降体３で大道具Ｃを保持して、これらの小迫りを連動させることにより、大型の大道具Ｃを昇降させるような演出も可能となる。
【００２５】
なお、昇降体３のアタッチメント１１は、通常、図５（ａ）に示すように、昇降台１２を受け止める水平部分の枠が昇降フレーム３ａの下部に位置するようにしておき、例えば奈落から舞台面への迫り上げに使用する際には、図５（ｂ）に示すように、水平部分の枠が昇降フレーム３ａの上部に位置するようにしてもよい(図２参照)。
【００２６】
また、大道具の迫り上げに使用する際には、アタッチメント１１として、図５（ｃ）に示すように、水平部分が枠ではなく、大道具を保持する棒材だけのものとする等、用途に応じたものを使用することができる（図４参照）。
【００２７】
さらに、昇降体３において、昇降フレーム３ａに対するアタッチメント１１の位置及び傾斜角を微調整できる微調整機構や、アタッチメント１１に対する昇降台１２の位置及び傾斜角を微調整できる微調整機構を設けておくと、奈落から舞台面への迫り上げに使用する際、小迫り自体を移動させなくても、舞台の開口部に対する昇降体３の位置合わせをすることができる。
【図面の簡単な説明】
【００２８】
【図１】この発明の実施形態に係る移動式小迫りの斜視図
【図２】同上の使用態様を示す概略側面図
【図３】同上のガイドレールの延長方法を示す概略正面図
【図４】同上の複数台での使用態様を示す概略側面図
【図５】同上の昇降体の構成を示す概略斜視図
【符号の説明】
【００２９】
１  基台
２  ガイドレール
３  昇降体
３ａ  昇降フレーム
３ｂ  ガイドローラ
３ｃ  クランプロック機構
４  キャスター
５  モータ
６  減速機
７  巻取ドラム
８，９  プーリ
１０  ワイヤ
１１  アタッチメント
１２  昇降台
１３  延長レール
１４  連結ブロック
【図１】
2008093014.tif 000003
【図２】
2008093014.tif 000004
【図３】
2008093014.tif 000005
【図４】
2008093014.tif 000006
【図５】
2008093014.tif 000007